(57)【特許請求の範囲】
【請求項１】
第１の面と当該第１の面とは反対側に位置する第２の面とを有する基板と、
前記基板の一部により構成され、操作者によって前記第１の面側から押圧される被押圧部と、
前記基板に形成され、当該基板の剛性を部分的に弱める弱め部と、
前記基板に形成され、当該基板の破断を促すスコア線と、
を備え、
前記被押圧部が操作者によって押圧されると前記弱め部にて前記基板が変形して当該被押圧部が前記第２の面側へ変位し、当該被押圧部の当該変位によって当該基板の一部が傾斜し、
前記スコア線は、前記基板のうちの傾斜する前記一部を通過するように形成され、
前記弱め部では、前記基板の折り処理ないし曲げ処理が施され、当該折り処理ないし曲げ処理によって、当該基板の剛性が弱められている缶蓋。
【請求項２】
第１の面と当該第１の面とは反対側に位置する第２の面とを有する基板と、
前記基板の一部により構成され、操作者によって前記第１の面側から押圧される被押圧部と、
前記基板に形成され、当該基板の剛性を部分的に弱める弱め部と、
前記基板に形成され、当該基板の破断を促すスコア線と、
を備え、
前記被押圧部が操作者によって押圧されると前記弱め部にて前記基板が変形して当該被押圧部が前記第２の面側へ変位し、当該被押圧部の当該変位によって当該基板の一部が傾斜し、
前記スコア線は、前記基板のうちの傾斜する前記一部を通過するように形成され、
前記被押圧部が操作者によって押圧されると、前記弱め部の部分が伸長して、当該被押圧部の前記第２の面側への変位が行われる缶蓋。
【請求項３】
第１の面と当該第１の面とは反対側に位置する第２の面とを有する基板と、
前記基板の一部により構成され、操作者によって前記第１の面側から押圧される被押圧部と、
前記基板に形成され、当該基板の剛性を部分的に弱める弱め部と、
前記基板に形成され、当該基板の破断を促すスコア線と、
を備え、
前記被押圧部が操作者によって押圧されると前記弱め部にて前記基板が変形して当該被押圧部が前記第２の面側へ変位し、当該被押圧部の当該変位によって当該基板の一部が傾斜し、
前記スコア線は、前記基板のうちの傾斜する前記一部を通過するように形成され、
前記基板のうちの傾斜する前記一部では、前記スコア線の曲率が大きくなっており、又は、当該スコア線が屈曲している缶蓋。
【請求項４】
第１の面と当該第１の面とは反対側に位置する第２の面とを有する基板と、
前記基板の一部により構成され、操作者によって前記第１の面側から押圧される被押圧部と、
前記基板に形成され、当該基板の剛性を部分的に弱める弱め部と、
前記基板に形成され、当該基板の破断を促すスコア線と、
を備え、
前記被押圧部が操作者によって押圧されると前記弱め部にて前記基板が変形して当該被押圧部が前記第２の面側へ変位し、当該被押圧部の当該変位によって当該基板の一部が傾斜し、
前記スコア線は、前記基板のうちの傾斜する前記一部を通過するように形成され、
前記弱め部の一部が、当該弱め部における他の部分よりも変形しにくくなっている缶蓋。
【請求項５】
第１の面と当該第１の面とは反対側に位置する第２の面とを有する基板と、
前記基板の一部により構成され、前記第１の面側から操作者の指によって直接押圧される被押圧部と、
前記基板の一部により構成され、前記被押圧部が押圧されると伸長し、当該被押圧部を前記第２の面側へ変位させる伸長部と、
前記基板に形成され、当該基板の破断を促すスコア線と、
を備え、
前記第２の面側への前記被押圧部の変位によって前記基板の一部が傾斜し、
前記スコア線は、前記基板のうちの傾斜する前記一部を通過するように形成されている缶蓋。
【請求項６】
前記基板のうちの傾斜する前記一部は、一方向に進むに従い下るように傾斜し、
前記スコア線のうちの傾斜する前記一部を通過する部位は、前記一方向と交差する方向に向かって進行するように形成されていることを特徴とする請求項５に記載の缶蓋。
【請求項７】
内容物を収容した缶本体と、当該缶本体の開口を塞ぐ缶蓋とを備え、当該缶蓋が請求項１乃至６の何れかに記載の缶蓋により構成された缶体。
【発明の詳細な説明】
【技術分野】
【０００１】
本発明は、缶蓋および缶体に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
飲料缶などでは、缶体に缶蓋が取り付けられ、缶蓋は、缶体内部に充填される飲料が缶外に出ないように封止する封止部材となる。この場合、例えば、缶蓋には蓋部材として構成される基板に対して開口形成のための開口具としてタブが取り付けられ、タブが操作されることで、缶蓋に開口が形成される。
ここで、タブが設けられている構成では、タブの分、コストが増加する。また、タブは、通常、基板とは別部品として構成され、缶蓋の製造にあたっては、タブと基板は別々に製作しその後結合する。このため、前述したタブのコストである材料費および製作費の他に、タブを基板に取り付けるための工数も必要となる。
本発明の目的は、タブを必ずしも用いないでも開口の形成を行える缶蓋、缶体を提供することにある。
【課題を解決するための手段】
【０００５】
本発明が適用される缶蓋は、第１の面と当該第１の面とは反対側に位置する第２の面とを有する基板と、前記基板の一部により構成され、操作者によって前記第１の面側から押圧される被押圧部と、前記基板に形成され、当該基板の剛性を部分的に弱める弱め部と、前記基板に形成され、当該基板の破断を促すスコア線と、を備え、前記被押圧部が操作者によって押圧されると前記弱め部にて前記基板が変形して当該被押圧部が前記第２の面側へ変位し、当該被押圧部の当該変位によって当該基板の一部が傾斜し、前記スコア線は、前記基板のうちの傾斜する前記一部を通過するように形成されていることを特徴とする缶蓋である。
ここで、前記弱め部では、前記基板の折り処理ないし曲げ処理が施され、当該折り処理ないし曲げ処理によって、当該基板の剛性が弱められていることを特徴とすることができる。
また、前記被押圧部が操作者によって押圧されると、前記弱め部の部分が伸長して、当該被押圧部の前記第２の面側への変位が行われることを特徴とすることができる。この場合、弱め部が伸長しない場合に比べ、基板の第２の面側への被押圧部の変位を生じやすくすることができる。
また、前記基板の前記一部では、前記スコア線の曲率が大きくなっており、又は、当該スコア線が屈曲していることを特徴とすることができる。この場合、スコア線の曲率が大きくなっていない場合やスコア線が屈曲していない場合に比べ、スコア線における基板の破断を生じやすくすることができる。
また、前記弱め部の一部が、当該弱め部における他の部分よりも変形しにくくなっていることを特徴とすることができる。この場合、弱め部の一部が他の部分よりも変形しにくくなっていない場合に比べ、被押圧部の過度の変位を抑えられるようになる。
また、他の観点から捉えると、本発明が適用される缶蓋は、第１の面と当該第１の面とは反対側に位置する第２の面とを有する基板と、前記基板の一部により構成され、前記第１の面側から操作者の指によって直接押圧される被押圧部と、前記基板の一部により構成され、前記被押圧部が押圧されると伸長し、当該被押圧部を前記第２の面側へ変位させる伸長部と、前記基板に形成され、当該基板の破断を促すスコア線と、を備え、前記第２の面側への前記被押圧部の変位によって前記基板の一部が傾斜し、前記スコア線は、前記基板のうちの傾斜する前記一部を通過するように形成されている缶蓋である。
ここで、前記基板のうちの傾斜する前記一部は、一方向に進むに従い下るように傾斜し、前記スコア線のうちの傾斜する前記一部を通過する部位は、前記一方向と交差する方向に向かって進行するように形成されていることを特徴とすることができる。この場合、一方向と交差する方向に向かって進行するようにスコア線が形成されていない場合に比べ、スコア線における基板の破断を生じやすくすることができる。
また、本発明を缶体として捉えた場合、本発明が適用される缶体は、内容物を収容した缶本体と、当該缶本体の開口を塞ぐ缶蓋とを備え、当該缶蓋が上記の何れかに記載の缶蓋により構成された缶体である。
【発明の効果】
【０００６】
本発明によれば、タブを必ずしも用いないでも開口の形成を行える缶蓋、缶体を提供することができる。
【図面の簡単な説明】
【０００７】
【図１】本実施形態の缶体の斜視図である。
【図２】缶蓋の正面図である。
【図３】図２のＩＩＩ−ＩＩＩ線における缶蓋の断面図である。
【図４】被押圧部が操作者により押圧された際の基板の状態を示した図である。
【図５】スコア線における基板の破断が進行した後の缶蓋の状態を示した図である。
【図６】舌片状部位の押圧が行われた後の缶蓋の状態を示した図である。
【図７】缶蓋の他の構成例を示した図である。
【図８】図７にて示した伸長抑制部を拡大した図である。
【図９】（Ａ）、（Ｂ）は、スコア線の頂部を拡大した図である。
【図１０】缶蓋の他の構成例を示した図である。
【図１１】図１０にて示した缶蓋の変形例を示した図である。
【図１２】缶蓋の他の構成例を示した図である。
【図１３】図１２のＸＩＩＩ−ＸＩＩＩ線におけるビードの断面図である。
【図１４】スコア線および弱め部の図示を省略した状態の缶蓋を示した図である。
【図１５】図１２のＸＶ−ＸＶ線における缶蓋の断面図である。
【図１６】基板の破断が生じた後の基板の状態を示した図である。
【図１７】基板の破断が生じた後の基板の状態を示した図である。
【図１８】基板の破断が生じた後の基板の状態を示した図である。
【図１９】図１２にて示した缶蓋の変形例を示した図である。
【発明を実施するための形態】
【０００８】
以下、添付図面を参照して、本発明の実施の形態について詳細に説明する。
図１は、本実施形態の缶体１００の斜視図である。
缶体１００には、円筒状の缶本体１１０が設けられている。さらに、缶体１００には、缶本体１１０の一方の端部に位置する開口を塞ぐ缶蓋（蓋部材）２００が設けられている。さらに、缶蓋２００の反対側には、底部（不図示）が設けられている。
なお、以下の説明では、缶体１００として、飲料缶を例示するが、缶体１００は、飲料缶に限定されるものではない。
【０００９】
図２は、缶蓋２００の正面図である。
缶蓋２００には、円盤状の基板（パネル）２１０が設けられている。基板２１０には、スコア線２２０が形成されている。
スコア線２２０は、基板２１０の形成された溝により構成され、被押圧部２８０が操作者（ユーザ）によって押圧された際に、基板２１０の破断を促す。
基板２１０は、第１面２２１と、この第１面２２１とは反対側に位置する第２面２２２（図２では不図示）とを有する。スコア線２２０は、第１面２２１側に形成されている。
【００１０】
スコア線２２０は、基板２１０の径方向における中央部側から基板２１０の外周縁側に向かって膨らむように形成されている。また、スコア線２２０は、Ｕ字状に形成され、一端部２２０Ａおよび他端部２２０Ｂを有する。さらに、スコア線２２０は、一端部２２０Ａおよび他端部２２０Ｂが位置する側とは反対側に、頂部２２３を有する。
本実施形態では、スコア線２２０にて、基板２１０が破断し、これにより、缶蓋２００に、飲み口（開口）が形成される。
【００１１】
スコア線２２０の頂部２２３では、スコア線２２０が部分的に曲がり、スコア線２２０の曲率が部分的に大きくなっている。付言すると、スコア線２２０の頂部２２３では、スコア線２２０の一部が、スコア線２２０により囲まれた領域内へ入り込んでいる。
これにより、本実施形態では、被押圧部２８０が操作者によって押圧された際、頂部２２３に応力が集中し、頂部２２３にて、基板２１０が最初に破断する。
【００１２】
さらに、本実施形態では、スコア線２２０の外側であって頂部２２３に対峙する箇所に、第１面２２１側に向かって凸となるように形成されたビード２３１が設けられている。
ビード２３１は、いわゆるエンボス加工により構成され、基板２１０の剛性を部分的に高める。
【００１３】
スコア線２２０には、頂部２２３と一端部２２０Ａとの間に第１部位２２５が設けられ、頂部２２３と他端部２２０Ｂとの間に第２部位２２６が設けられている。
第１部位２２５と第２部位２２６は、頂部２２３側から一端部２２０Ａ、他端部２２０Ｂに向かって進行するのに従い互いに接近する。
【００１４】
また、第１部位２２５は、第１仮想直線２Ａを挟んで相対する２つの領域のうちの一方の領域に配置されている。より具体的には、第１部位２２５は、頂部２２３と基板２１０の径方向における中央部ＣＰとを通る第１仮想直線２Ａを挟んで相対する２つの領域のうちの一方の領域に配置されている。
【００１５】
また、第２部位２２６は、第１仮想直線２Ａを挟んで相対する２つの領域のうちの他方の領域に配置されている。
なお、本実施形態では、第２仮想直線２Ｂも存在する。この第２仮想直線２Ｂは、基板２１０の中央部ＣＰを通り、また、第１仮想直線２Ａに対して直交する。
【００１６】
さらに、本実施形態では、一端部２２０Ａと他端部２２０Ｂとの間には、スコア線２２０が形成されていない不連続部２２７が設けられている。
本実施形態では、スコア線２２０にて基板２１０が破断することで、舌片状の部位（以下、「舌片状部位」と称する）が形成され、この舌片状部位が、缶体１００の内部に曲げ入れられる。この際、舌片状部位は、不連続部２２７を介して、基板２１０に接続される。これにより、舌片状部位の基板２１０からの離脱が防止される。
【００１７】
さらに、本実施形態では、基板２１０の剛性を部分的に弱める弱め部２７０が設けられている。弱め部２７０は、スコア線２２０により囲まれた領域内に設けられている。
また、弱め部２７０は、長円状（環状）に形成されている。さらに、弱め部２７０は、長軸が第１仮想直線２Ａに沿うように配置されている。
【００１８】
ここで、本実施形態では、環状に形成された弱め部２７０の内側の部分が、被押圧部２８０として機能し、缶蓋２００に飲み口が形成される際には、操作者の指によってこの被押圧部２８０が直接押圧される。
そして、被押圧部２８０が押圧されると、基板２１０のうちの弱め部２７０が設けられている箇所が伸長（変形）し、被押圧部２８０が缶体１００の内部へ入り込む。言い換えると、被押圧部２８０が、缶蓋２００の第２面２２２側へ変位する。
【００１９】
ここで、本実施形態では、被押圧部２８０が操作者によって押圧されると、被押圧部２８０が基板２１０の第２面２２２側へ変位するが、本実施形態では、弱め部２７０を設けることで、被押圧部２８０の第２面２２２側への変位量を、弱め部２７０が無い場合に比べて増加させている。
さらに説明すると、基板２１０は金属製であり、単に基板２１０を押しても、基板２１０は凹みにくいが、本実施形態では、弱め部２７０の内側が変位しやすくなっており、被押圧部２８０が押圧されると、弱め部２７０の内側にて、基板２１０が凹む。
【００２０】
図３は、図２のＩＩＩ−ＩＩＩ線における缶蓋２００の断面図である。
弱め部２７０では、基板２１０が引き延ばされ、他の部分よりも基板２１０の肉厚が小さくなっている。さらに、弱め部２７０では、基板２１０の山折りおよび谷折りが行われ、基板２１０の径方向に山および谷が並んでいる。言い換えると、弱め部２７０は、波形に形成されている。さらに説明すると、弱め部２７０は、アコーデオンの蛇腹部のように、折り返しの形状を有し、変形しやすくなっている。
さらに、本実施形態では、弱め部２７０とビード２３１との間を、スコア線２２０が通過する。
【００２１】
なお、本実施形態では、基板２１０に対して折り処理を行うことで、基板２１０に波形形状を付与したが、折り処理に限らず、基板２１０を部分的に曲げる曲げ処理を基板２１０に対して行って、基板２１０に波形形状を付与してもよい。
【００２２】
図４は、被押圧部２８０が操作者により押圧された際の基板２１０の状態を示した図である。
被押圧部２８０が操作者により押圧されると、被押圧部２８０が第２面２２２側へ変位する。このとき、本実施形態では、弱め部２７０が伸長し、操作者は、より軽い力で、被押圧部２８０の押圧（押し込み）を行える。
付言すると、本実施形態では、弱め部２７０が伸長部として機能し、被押圧部２８０が操作者により押圧されると、弱め部２７０が伸長し、これにより、被押圧部２８０が第２面２２２側へ変位する。
【００２３】
被押圧部２８０が押圧され、被押圧部２８０が第２面２２２側へ変位すると、図４に示すように、基板２１０のうちの、ビード２３１と弱め部２７０との間に位置する部分（基板２１０の一部）が傾斜するととともに、この部分に曲げ応力が加わる。
より具体的には、符号４Ａで示す部分（以下、「傾斜部分４Ａ」と称する）が傾斜する。また、この傾斜部分４Ａには、この傾斜部分４Ａが図中上方に向かって凸となるようにこの傾斜部分４Ａを曲げる曲げ応力が作用する。
【００２４】
付言すると、本実施形態では、スコア線２２０よりも図中左側に位置するビード２３１は、当初の位置を保つ一方で、スコア線２２０よりも図中右側に位置する弱め部２７０は、第２面２２２側へ変位する。
この結果、ビード２３１と弱め部２７０との間に位置する傾斜部分４Ａが傾斜する。より具体的には、水平方向に対して傾斜する。さらに説明すると、基板２１０の本体部分が延びている方向に対して傾斜する。
【００２５】
そして、本実施形態では、この傾斜部分４Ａを横切るようにスコア線２２０が形成され、スコア線２２０は、傾斜部分４Ａにおいて切欠き溝として構成され、傾斜部分４Ａに曲げ応力が作用すると、この部位に応力が集中し、この部位から破断しやすくなる。
さらに、本実施形態では、この傾斜部分４Ａに、応力が集中する頂部２２３（図２参照）が位置する。この結果、本実施形態では、傾斜部分４Ａにて、基板２１０の破断がまず生じるようになる。
【００２６】
なお、本実施形態では、傾斜部分４Ａが図４で示すように傾斜した際、この傾斜部分４Ａは、矢印４Ｂで示す一方向に向かって進むに従い下るように傾斜する。
一方で、スコア線２２０のうちの傾斜部分４Ａを通過する部位は、この一方向と交差する方向に向かって進行して、傾斜部分４Ａを通過する。
【００２７】
傾斜部分４Ａにて基板２１０の破断が生じた後、基板２１０の破断は、第１部位２２５（図２参照）および第２部位２２６に沿って進行する。
これにより、図５（スコア線における基板の破断が進行した後の缶蓋の状態を示した図）に示すように、舌片状部位２９０が形成される。
その後、図６（舌片状部位の押圧が行われた後の缶蓋の状態を示した図）に示すように、基板２１０の第２面２２２側へ舌片状部位２９０が押し込まれ、缶蓋２００に、飲み口が形成される。
【００２８】
ここで、本実施形態の構成では、タブを用いずに、缶蓋２００に飲み口を形成できる。タブを用いない場合（缶蓋２００にタブが設けられていない場合）、より安価に、缶蓋２００を提供できる。
【００２９】
ここで、現在広く使用されている飲料缶では、タブが取り付けられた缶蓋が用いられている。タブを有した缶蓋の製造にあたっては、通常、径方向における中央部付近に突起を有する基板を用意する。また、板材の打ち抜きなどを行って、貫通孔を有した基材を形成した後、この基材の外周縁にカール加工を施して、タブを形成する。
そして、タブの貫通孔に対して、基板に形成された突起を通し、さらに、この突起の先端を潰す。これにより、基板に対してタブが固定される。既存の缶蓋は、通常、基板の製作とタブの製作とが別々に行われ、その後、基板に対してタブが取り付けられる。
【００３０】
今日では、ステイオンタブが主流となり、缶蓋からタブが離脱して周辺環境を汚すという不具合がほとんど起きなくなったが、タブを使用しない缶蓋を提供できれば、このような不具合の発生をより確実に抑えられる。また、タブを使用しなければ、缶蓋の製造コストは低下する。さらに、タブを有する缶蓋では、タブに起因する設計上の制約が生じ、飲み口の大きさや形状に制約が生じやすくなる。
これに対し、本実施形態の構成では、タブを省略でき、製造工程の簡素化、コストの低減が図れる。また、缶蓋の設計の自由度を高められる。
【００３１】
図７は、缶蓋２００の他の構成例を示した図である。
この構成例では、弱め部２７０に、４箇所の伸長抑制部２７１を設けている。
伸長抑制部２７１は、弱め部２７０における基板２１０の伸長を抑制する。
これにより、弱め部２７０のうちの、伸長抑制部２７１が設けられている部分は、他の部分よりも変形しにくくなる。
さらに説明すると、本実施形態では、弱め部２７０は、予め定められた経路に沿って延びるように形成されているが、図７にて示す構成例では、弱め部２７０の長手方向における一部が、長手方向における他の部分よりも変形しにくくなっている。
【００３２】
ここで、缶体１００が落下することがあり、この場合、地面と缶体１００との衝突により、内容物（飲料缶の場合は飲料）が、缶蓋２００の内側（第２面２２２側）から缶蓋２００を押圧する。かかる場合、缶蓋２００の外側方向へ（第１面２２１側へ）、被押圧部２８０が押圧され、基板２１０の一部が缶蓋２００の外側へ突出するおそれがある。
伸長抑制部２７１は、弱め部２７０における基板２１０の伸長を抑制して、この突出を抑える。
【００３３】
図８は、図７にて示した伸長抑制部２７１を拡大した図である。
伸長抑制部２７１は、山および谷を有した弱め部２７０における山と山とのピッチ、および、谷と谷とのピッチを小さくすることで形成する。付言すると、波形に形成された弱め部２７０の１ピッチ当たりの距離を小さくすることで形成する。
なお、この構成例では、このようにピッチを小さくしたが、山と谷との離間距離を小さくしてもよい。付言すると、波の深さを小さくしてもよい。
【００３４】
図９（Ａ）、（Ｂ）は、スコア線２２０の頂部２２３を拡大した図である。
本実施形態では、上記のとおり、また、図９（Ａ）に示すように、スコア線２２０の頂部２２３において、スコア線２２０の曲率を部分的に大きくしている。付言すると、本実施形態では、スコア線２２０の頂部２２３に位置する一部が、スコア線２２０により囲まれた領域内へ入り込んでいる。
これにより、本実施形態では、缶蓋２００に飲み口が形成される際、頂部２２３に応力が集中し、頂部２２３にて、基板２１０の破断が生じやすくなる。
【００３５】
図９（Ｂ）は、スコア線２２０の頂部２２３の他の構成例を示している。
この構成例では、スコア線２２０の頂部２２３にて、スコア線２２０が屈曲している。
より具体的には、スコア線２２０の頂部２２３には、２つの直線状部位２２３Ａ、２２３Ｂが設けられ、この２つの直線状部位２２３Ａ、２２３Ｂが互いに交差している。さらに、２つの直線状部位２２３Ａ、２２３Ｂは、スコア線２２０により囲まれた領域内に向かって進行し、この領域内にて互いに交差している。
この構成例でも、頂部２２３に応力が集中し、頂部２２３にて、基板２１０の破断が生じやすくなる。
【００３６】
図１０は、缶蓋２００の他の構成例を示した図である。
図１０にて示す構成例では、スコア線２２０が、半円状に形成されている。
付言すると、この構成例では、一端部２２０Ａおよび他端部２２０Ｂが、第２仮想直線２Ｂよりも図中左側に位置しており、図２にて示したスコア線２２０に比べ、第１仮想直線２Ａが延びる方向におけるスコア線２２０の全長が小さくなっている。
【００３７】
付言すると、本実施形態では、スコア線２２０の内側に位置する部位が舌片状部位２９０となるが、図１０にて示す構成例では、第１仮想直線２Ａが延びる方向における舌片状部位２９０の長さが、図２にて示した構成に比べ小さくなる。
【００３８】
その一方で、図１０にて示す構成例では、第２仮想直線２Ｂが延びる方向におけるスコア線２２０の全長（舌片状部位２９０の幅）は、図２にて示したスコア線２２０よりも大きくなっている。
図１０にて示した缶蓋２００では、舌片状部位２９０の長さを小さくしている。その一方で、飲み口の面積を確保するため、スコア線２２０の曲率半径を大きくし、舌片状部位２９０の幅を大きくしている。
【００３９】
ここで、図２で示した構成例では、舌片状部位２９０が長くなるため、操作者が舌片状部位２９０を缶体１００の内部に押し込む際の、舌片状部位２９０の押し込み量が大きくなる。この場合、操作者の指が、缶体１００の内部の飲料に触れやすくなる。
これに対し、図１０にて示す構成例では、舌片状部位２９０の押し込み量が小さくなり、操作者の指が飲料に触れにくくなる。
【００４０】
また、図１０にて示す構成例では、弱め部２７０は、スコア線２２０に対応させて、第２仮想直線２Ｂよりも左側の領域に形成している。
さらに、この構成例では、弱め部２７０は、長円状ではなく、Ｕ字状に形成され、一端部２７５、他端部２７６、頂部２７７を有する。
一端部２７５および他端部２７６は、第２仮想直線２Ｂ側に位置し、頂部２７７は、スコア線２２０の頂部２２３側に位置する。
【００４１】
図１１は、図１０にて示した缶蓋２００の変形例を示した図である。
この構成例では、上記と同様に、伸長抑制部２７１を設けている。
この構成例では、図２にて示した構成例に比して短く形成された弱め部２７０に対応させて、伸長抑制部２７１の数を減らし、伸長抑制部２７１を２つ設けている。
【００４２】
図１２は、缶蓋２００の他の構成例を示した図である。
この構成例では、図１２に示すように、ビード２３１が、一方向に沿って延びるように形成されている。具体的には、第１仮想直線２Ａに沿って延びるように形成されている。
そして、この構成例では、このビード２３１を横切るように、スコア線２２０が形成されている。
【００４３】
さらに、この構成例では、ビード２３１の幅が部分的に小さくなる幅狭部（括れ部）２３１Ａが設けられ、スコア線２２０は、この幅狭部２３１Ａの部分を横断する。
なお、この構成例では、ビード２３１の、一方端２３１Ｂ側および他方端２３１Ｃ側のうちの、一方端２３１Ｂ側が被押圧部２８０として機能し、この一方端２３１Ｂ側が操作者より押圧される。
付言すると、本実施形態では、基板２１０のうち、幅狭部２３１Ａよりも一方端２３１Ｂ側に位置する部分が被押圧部２８０として機能し、この部分が操作者より押圧される。
【００４４】
また、この構成例では、スコア線２２０の第１部位２２５、第２部位２２６は、互いに平行となるように配置されているとともに、不連続部２２７に達する手前側で互いに接近する。さらに、第１部位２２５と第２部位２２６とを接続する第３部位２２９が設けられている。第３部位２２９は、直線状に形成され、ビード２３１の幅狭部２３１Ａを通過する。
【００４５】
被押圧部２８０の周囲且つスコア線２２０よりも内側には、弱め部２７０が設けられている。弱め部２７０は、Ｕ字状に形成され、一端部２７５、他端部２７６、および、頂部２７７を有する。
一端部２７５および他端部２７６は、スコア線２２０の第３部位２２９側に位置し、頂部２７７は、第２仮想直線２Ｂ側に位置する。
【００４６】
図１３は、図１２のＸＩＩＩ−ＸＩＩＩ線におけるビード２３１の断面図である。
ビード２３１は、いわゆるエンボス加工により構成され、金型を基板２１０に押し当てることで形成される。
ビード２３１は、溝状に形成され、基板２１０のうちのビード２３１が形成されている箇所には、互いに対向する二つの側部２１５，２１６、この二つの側部２１５，２１６を接続する接続部２１７が設けられる。スコア線２２０は、この二つの側部２１５，２１６、接続部２１７に形成されている。
また、ビード２３１は、基板２１０の第２面２２２側から第１面２２１側に向かって凸となる形状であればよく、ビード２３１の断面形状は、このような矩形でなくても、例えば半円形または三角形であってもよい。
【００４７】
図１４は、スコア線２２０および弱め部２７０の図示を省略した状態の缶蓋２００を示した図である。
この構成例では、基板２１０の一部が凹んでおり（第２面２２２側へ凹んでおり）、基板２１０に凹部２１０Ａが形成されている。これにより、この凹部２１０Ａが形成された箇所は、基板２１０の他の部分よりも低くなっている。
そして、この構成例では、この凹部２１０Ａ内に、弱め部２７０（図１２参照）、スコア線２２０が形成される。
【００４８】
図１５は、図１２のＸＶ−ＸＶ線における缶蓋２００の断面図である。
図１５に示すように、また、上記にて説明したように、この構成例では、ビード２３１に設けられた接続部２１７に、スコア線２２０が形成されている。
さらに、ビード２３１の図中右側に、弱め部２７０が設けられている。弱め部２７０は、上記と同様、波形の形状を有している。
【００４９】
ここで、被押圧部２８０が操作者によって押圧されると、図１５の破線で示すように、ビード２３１に設けられた接続部２１７が傾斜する。
より具体的には、水平方向に対して傾斜する。さらに説明すると、被押圧部２８０が押圧される前に接続部２１７が延びていた方向（基板２１０の本体部分が延びている方向）に対して、接続部２１７が傾斜する。また、接続部２１７には、図中上方に向かって接続部２１７が凸となるように曲げ応力が作用する。
【００５０】
さらに説明すると、この構成例では、被押圧部２８０を挟み、幅狭部２３１Ａ（スコア線２２０が横切る横切り部位）が位置する側とは反対側に、弱め部２７０が形成されている。このため、被押圧部２８０が操作者によって押圧されると、一方端２３１Ｂ側の方が幅狭部２３１Ａよりも多く沈むように基板２１０が変形する。
これにより、破線で示すように、接続部２１７（基板２１０の一部）が図中右肩下がりとなるように傾斜する。
【００５１】
さらに、本実施形態では、接続部２１７にスコア線２２０が形成されている。付言すると、基板２１０のうちの傾斜する部分に対して、スコア線２２０が形成されている。
ここで、接続部２１７が傾斜する際、接続部２１７は、矢印１５Ａで示す一方向に向かって進むに従い下るように傾斜する。一方で、スコア線２２０のうちの接続部２１７を通過する部位は、この一方向と交差する方向に向かって進行して、接続部２１７を通過する。
【００５２】
そして、この場合、スコア線２２０を構成する溝が拡げられるように、基板２１０が変形する。また、ビード２３１の幅狭部２３１Ａ（図１２も参照）によりさらに応力が集中してかかり、これにより、接続部２１７のうちのスコア線２２０が横切る部分で、基板２１０の破断がまず生じるようになる。
【００５３】
さらに説明すると、この構成例では、ビード２３１は、二つの側部２１５，２１６（図１３参照）および接続部２１７を有し、その断面形状が略矩形状となっている。
これにより、基板２１０のうちのビード２３１が形成されている箇所は、曲げ剛性が高められている。より具体的には、ビード２３１の一方端２３１Ｂと他方端２３１Ｃとを近づけようとする曲げに対する剛性が高められている。
この場合、被押圧部２８０が押圧されて被押圧部２８０へ押圧荷重が作用した際、この押圧荷重が幅狭部２３１Ａ（図１２参照）へ作用しやすくなり、より小さい押圧荷重で、幅狭部２３１Ａにおける基板２１０の破断を生じさせることができるようになる。
【００５４】
図１６〜図１８は、基板２１０の破断が生じた後の基板２１０の状態を示した図である。
幅狭部２３１Ａにて基板２１０に破断が生じると、図１６に示すように、ビード２３１の一方端２３１Ｂ側が基板２１０の第２面２２２側へ変位する。なお、このとき、弱め部２７０が伸長する。
そして、スコア線２２０における基板２１０の破断がさらに進行すると、図１７に示すように、舌片状部位２９０が生じる。その後、舌片状部位２９０が操作者によりさらに押圧され、図１８に示すように、不連続部２２７にて舌片状部位２９０が折り曲げられる。これにより、缶蓋２００に飲み口が形成される。
【００５５】
図１９は、図１２にて示した缶蓋２００の変形例を示した図である。
この変形例では、上記と同様、弱め部２７０に伸長抑制部２７１を設けている。具体的には、弱め部２７０の頂部２７７側に、２つの伸長抑制部２７１を設けている。なお、この伸長抑制部２７１は、上記と同様、波形の形状を有している。
【符号の説明】
【００５６】
１００…缶体、１１０…缶本体、２００…缶蓋、２１０…基板、２１５…側部、２１６…側部、２１７…接続部、２２０…スコア線、２２１…第１面、２２２…第２面、２３１…ビード、２３１Ｂ…一方端、２７０…弱め部、２８０…被押圧部
【図１】
0006527380.tif 000002
【図２】
0006527380.tif 000003
【図３】
0006527380.tif 000004
【図４】
0006527380.tif 000005
【図５】
0006527380.tif 000006
【図６】
0006527380.tif 000007
【図７】
0006527380.tif 000008
【図８】
0006527380.tif 000009
【図９】
0006527380.tif 000010
【図１０】
0006527380.tif 000011
【図１１】
0006527380.tif 000012
【図１２】
0006527380.tif 000013
【図１３】
0006527380.tif 000014
【図１４】
0006527380.tif 000015
【図１５】
0006527380.tif 000016
【図１６】
0006527380.tif 000017
【図１７】
0006527380.tif 000018
【図１８】
0006527380.tif 000019
【図１９】
0006527380.tif 000020